(57)【要約】【課題】  浴槽に対して浴室カウンターが隣接して設置されるものにおいて、浴槽のエプロンと浴室カウンターの製品精度が高いものでなくとも、エプロンと浴室カウンターとの間に外観上隙間を生じさせないようにできる浴室カウンターの取付構造を提供する。【解決手段】  浴槽１に設置されるエプロン２に隣接して設置される浴室カウンターの取付構造である。前記エプロン２には、浴室カウンター３の浴槽１側の側端部３ａが嵌まり込む凹所５を設ける。この凹所５に浴室カウンター３の側端部３ａを挿通した。【選択図】        図１
2010104447.tif 000002
【特許請求の範囲】
【請求項１】
浴槽に設置されるエプロンに隣接して設置される浴室カウンターの取付構造であって、前記エプロンには、浴室カウンターの浴槽側の側端部が嵌まり込む凹所を設け、該凹所に浴室カウンターの側端部を挿通して成ることを特徴とする浴室カウンターの取付構造。
【請求項２】
前記エプロンと浴室カウンターとの成す隅部に目地部材を設け、目地部材は、エプロンと浴室カウンターとの成す隅部を閉塞する目地部と、エプロンを浴槽から取り外したときに目地部材の脱落を防ぐ係止部とを備え、前記凹所の開口周縁に係止部と係止する被係止部を設けて成ることを特徴とする請求項１に記載の浴室カウンターの取付構造。
【請求項３】
前記係止部を浴室カウンターの浴槽側の側端部近傍の外縁に対応する位置に全長に亘って連続して設けると共に被係止部を凹所の開口周縁に連続して設けて成ることを特徴とする請求項２に記載の浴室カウンターの取付構造。
【発明の詳細な説明】
【技術分野】
【０００１】
本発明は、浴槽のエプロンに隣接して設置される浴室カウンターの取付構造に関するものである。
【背景技術】
【０００２】
従来から、浴槽に設置されるエプロンに隣接して設置される浴室カウンターの取付構造として、例えば、特許文献１のものが知られている。この特許文献１に示す浴室カウンターの取付構造は、浴槽のエプロンの表面に浴室カウンターの側端面を当接して、エプロンと浴室カウンターの側端面とで隙間が生じないように設置するものである。
【特許文献１】特開平７−２０４１１６号公報
【発明の開示】
【発明が解決しようとする課題】
【０００３】
ところで、このような浴室カウンターの取付構造によれば、浴室カウンターの浴槽側の側端部が僅かに短かったり、エプロンの表面がやや撓んでいたり厚みに誤差があったりする等の製造上の誤差が生じた場合や、現場において設置上の誤差が生じた場合などによって、エプロンと浴室カウンターの側端部との間に隙間が生じてしまうことがある。このように隙間が生じてしまえば、浴室内の良好な外観を損ない、商品価値を低下させてしまう要因となる。
【０００４】
さらに言えば、この浴槽のエプロンと浴室カウンターの側端部とを隙間無く設置するに当たっては、エプロン及び浴室カウンターを高い精度で製造する必要が生じるため、コストが嵩む要因にもなっていた。
【０００５】
本発明は、上記従来の問題に鑑みてなされたものであり、その目的とするところは、浴槽に対して浴室カウンターが隣接して設置されるものにおいて、浴槽のエプロンと浴室カウンターの製品精度が高いものでなくとも、エプロンと浴室カウンターとの間に外観上隙間を生じさせないようにできる浴室カウンターの取付構造を提供することにある。
【課題を解決するための手段】
【０００６】
上記課題を解決するために請求項１に係る発明にあっては、浴槽１に設置されるエプロン２に隣接して設置される浴室カウンターの取付構造であって、前記エプロン２には、浴室カウンター３の浴槽１側の側端部３ａが嵌まり込む凹所５を設け、該凹所５に浴室カウンター３の側端部３ａを挿通して成ることを特徴とするものである。
【０００７】
このように構成したことで、浴槽１のエプロン２と浴室カウンター３とを高い精度で製作しなくとも、浴槽１の側面と浴室カウンター３との間に外観上隙間が生じさせないようにできる。
【０００８】
また、請求項２に係る発明にあっては、請求項１に係る発明において、前記エプロン２と浴室カウンター３との成す隅部に目地部材６を設け、目地部材６は、エプロン２と浴室カウンター３との成す隅部を閉塞する目地部６１と、エプロン２を浴槽１から取り外したときに目地部材６の脱落を防ぐ係止部６２とを備え、前記凹所５の開口周縁に係止部６２と係止する被係止部７を設けて成ることを特徴とするものである。
【０００９】
このように構成したことで、請求項１に係る効果に加えて、浴槽１のメンテナンス時にエプロン２を取り外した場合であっても、エプロン２から目地部材６が脱落することがないため、メンテナンス時などにおける作業効率を向上させることができる。その上、エプロン２と浴室カウンター３との間に生じる隙間４を目地部材６によって閉塞することができるため、外観を損なうことが無いばかりか、エプロン２に設けた凹所５に湯水が入り込むことがなくなるため、カビや雑菌の繁殖を防ぎ、浴室内を清潔に保つことができるようになる。
【００１０】
また、請求項３に係る発明にあっては、請求項２に係る発明において、前記係止部６２を浴室カウンター３の浴槽１側の側端部３ａ近傍の外縁に対応する位置に全長に亘って連続して設けると共に被係止部７を凹所５の開口周縁に連続して設けて成ることを特徴とするものである。
【００１１】
このように構成したことで、請求項２に係る効果に加えて、目地部材６をエプロン２に対して一層強固に係止させることができる。
【発明の効果】
【００１２】
本発明によれば、浴槽に対して浴室カウンターが隣接して設置されるものにおいて、浴槽と浴室カウンターとの間に隙間を生じさせないため、浴室内の良好な外観を損なうことがなく、浴室としての商品価値を高めることができる。
【発明を実施するための最良の形態】
【００１３】
以下、本発明について添付図面に基づいて説明する。
【００１４】
本発明の浴室カウンターの取付構造の一例として、浴室ユニットに設置されたものについて以下説明する。
【００１５】
本実施形態の浴室ユニットは、浴槽１を設置する浴槽用床パンと洗い場用床パンとで構成される床パンの周囲に、壁パネル及びドアを有する出入り口枠とを立設し、壁パネル及び出入り口枠で囲まれた部分の上端部に天井パネルを配設して構成してある。この浴槽用床パンには、開口周縁にフランジ部１１が設置された浴槽１が載設されており、その浴槽１に隣接するようにして浴室カウンター３が壁パネルから突設されている。浴槽側床パンと洗い場側床パンの境界部分は堰部となっており、その堰部の上部で、且つ、堰部の長手方向の全長に亘って浴槽１のエプロン２が配置されている。このエプロン２は、浴槽１及び堰部に対して取り外し可能となっており、浴室カウンター３に隣接して設置される小エプロン２２と、小エプロン２２以外の部分の大エプロン２１とによって構成されている。
【００１６】
浴室カウンター３は、図１に示すように、浴槽１に隣接して設置されている。詳しくは、浴槽１の長手方向の一方の端部（すなわち、浴槽１の一方の短辺）に沿って立設された壁パネルから、浴槽１の長手方向に沿う方向に突設されており、浴槽１のフランジ部１１よりも下方に設置されている。この浴室カウンター３は、浴槽１側の側端部３ａが、浴槽１に設けられた小エプロン２２の表面よりも浴槽１内部側に位置するように形成されており、つまり、従来の浴室カウンターの浴槽側の側端部は、小エプロンの表面にちょうど当接する程度の長さで形成されているのに対し、本発明の浴室カウンター３は、従来の浴室カウンターよりも浴槽１側に長く形成されており、上面視においては、浴槽１のフランジ部１１と浴室カウンター３とは一部が重なるようにして形成されている。
【００１７】
小エプロン２２には、浴室カウンター３の浴槽１側の側端部３ａが嵌まり込む凹所５が設けられている。この凹所５は、上面を形成する凹所上面５１と、浴槽１の長手方向の中央側の側面を形成する凹所縦面（図示せず）と、下面を形成する凹所下面５３と、凹所５の底面を形成する凹所底面５４と、で構成されており、小エプロン２２の正面からみてコ字形状を成す凹所５となっている。この凹所５の開口周縁と浴室カウンター３との間には、僅かに隙間４を形成するようになっており、凹所底面５４は、浴室カウンター３の浴槽１側の側端部３ａが位置する設計上の位置よりも、浴槽１内部側に位置するようにして設けられている。
【００１８】
このように構成された、浴室カウンター３に隣接して設置された浴槽１にエプロン２を装着するに際しては、以下の手順によって行なわれる。
【００１９】
最初に小エプロン２２を装着する。まず、小エプロン２２を浴槽１の長手方向の略中間部位において、堰部と浴槽１のフランジ部１１との間に嵌挿する。その後、浴槽１の長手方向に沿うようにして小エプロン２２をスライドさせて、浴室カウンター３の設置された壁パネル側の所定の位置にまで押し込む。
【００２０】
小エプロン２２を設置した後、大エプロン２１の上端を浴槽のフランジ部１１の裏面に係合させつつ、その大エプロン２１の上端を支点として、大エプロン２１の下端を浴槽１側に回動し、そのまま押圧することによって大エプロン２１を嵌挿して、エプロン２の装着が完了する。
【００２１】
なお、エプロン２を取り外す場合は、大エプロン２１の下端を持ち上げつつ手前側に回動させて大エプロン２１を取り外し、その後に、小エプロン２２を浴槽１の中央側にスライドさせるようにして取り外す。
【００２２】
小エプロン２２の凹所５は、浴室カウンター３よりも僅かに大きく形成されているから、小エプロン２２の設置に当たっても、簡単にスライドして設置することができ、その上、設置した状態においても、エプロン２と浴室カウンター３の浴槽１側の側端部３ａとの間には外観上隙間が生じない。つまり、浴室内の外観の良好さを損なわないようになっている。
【００２３】
次に、他の実施形態について図３及び図４に基づいて説明する。なお、本実施形態は図１及び図２に示す実施形態と大部分において同じであるため、同じ部分においては同符号を付して説明を省略し、主に異なる部分について説明する。
【００２４】
上記実施例においては、エプロン２に凹所５を設けて、その凹所５内に浴室カウンター３の浴槽１側の側端部３ａを挿通することで、浴槽１内の外観が損なわれるのを防止することができた。
【００２５】
ところで、上記実施形態においては、小エプロン２２に設けた凹所５の開口周縁と浴室カウンター３との間には、小エプロン２２のスムーズな設置を可能とするために、隙間４を設けてある。一方、この凹所５と外部とは連通していないため、外部への漏水の問題はない。しかしながら、浴室カウンター３上の水滴や、シャワー（図示せず）や浴槽１からの湯水が、この隙間４を介して凹所５内に湯水が入り込んでしまうと、その凹所５内においてカビや雑菌が繁殖し易くなってしまうという問題がある。
【００２６】
従って、本実施形態においては、小エプロン２２と浴室カウンター３との成す隅部（入隅部）に目地部材６を設けて、小エプロン２２に設けた凹所５に湯水が入り込むのを防ぎ、その凹所５内でカビや雑菌が発生するのを防止するようにしている点で、上記実施形態とは異なっている。
【００２７】
この目地部材６は、図４に示すように、エプロン２と浴室カウンター３との成す隅部を閉塞する目地部６１と、エプロン２を浴槽１から取り外したときに目地部材６の脱落を防ぐ係止部６２と、目地部６１と係止部６２とを連結する胴部６３と、から構成されている。また、この目地部材６は、塩化ビニルから成る樹脂により主体が形成されている。
【００２８】
目地部６１は、小エプロン２２の凹所５の開口周縁と浴室カウンター３との間に形成された隙間４を埋めるようにして設けられており、詳しく説明すると、小エプロン２２の凹所上面５１と浴室カウンター３の上面との間の隙間４ａ、小エプロン２２の凹所縦面（図示せず）と浴室カウンター３の前面（すなわち、浴室カウンター３の突出端面）との間の隙間（図示せず）、小エプロン２２の凹所下面５３と浴室カウンター３の下面との間の隙間４ｂ、にそれぞれ目地部６１が連続して設けられている。
【００２９】
胴部６３は、上記目地部６１の浴室カウンター３と接した面から、浴槽１側に向けて連設されており、小エプロン２２の凹所５と浴室カウンター３とで成す隙間４と略同じ厚みによって形成されている。
【００３０】
係止部６２は、縦片６２１と係止凸部６２２と導入斜片６２３とから構成されている。詳しく説明すると、胴部６３における目地部６１からの突出先端から浴室カウンター３から離れる方向に向けて、縦片６２１が突設されており、その縦片６２１の突出先端に係止凸部６２２が連設され、さらに、その係止凸部６２２から導入斜片６２３が連接されている。この縦片６２１の突出基部は屈曲自在に形成されており、導入斜片６２３を目地部６１側に押圧することで、この縦片６２１の突出基部が屈曲するように形成されている。本実施形態の係止部６２は、目地部６１と胴部６３のように開口周縁に連続して設けてあるのに対し、一定の間隔を介して断続的に設けられている。
【００３１】
小エプロン２２の凹所５の開口周縁には、目地部材６の係止部６２が係止する被係止部７が形成されている。本実施形態の被係止部７は、略矩形状の開口部７ａが断続的に穿設されることにより構成されており、上述した係止部６２に対応する部位に形成してある。
【００３２】
このように形成された目地部材６を小エプロン２２の凹所５と、浴室カウンター３との隙間４に設置するに当たっては、以下のようにして設置される。
【００３３】
上記実施形態と同様に、小エプロン２２を浴槽１の長手方向の中間部位に嵌挿した後に、浴室カウンター３に向けてスライドして小エプロン２２を設置する。次に、目地部材６を取り付けるに当たって、小エプロン２２の凹所５の開口周縁と浴室カウンター３との間に形成された隙間４に向けて、目地部材６の係止部６２にある導入斜片６２３を臨ませる。そのまま導入斜片６２３を凹所５の開口周縁と浴室カウンター３との間に形成された隙間４に挿入していくことで、導入斜片６２３が凹所５の開口周縁の角部に当接すると共に、係止部６２の縦片６２１の突出基部が屈曲していく。さらにこの目地部材６の圧入を継続すると、縦片６２１が胴部６３に接する程に縦片６２１の突出基部が屈曲しながら、係止部６２が胴部６３と共に、係る隙間４に入り込み、その後、導入斜片６２３が小エプロン２２の凹所５の開口周縁にある被係止部７に入り込むのと同時に縦片６２１が立ち上がり、係止部６２にある係止凸部６２２が、被係止部７の開口部７ａの外縁の裏側に位置するようになる。
【００３４】
このような目地部材６の圧入を、凹所上面５１と、凹所縦面（図示せず）と、凹所下面５３とにおいて繰り返して、目地部材６の設置が完了する。
【００３５】
このように、目地部材６を設けたことにより、小エプロン２２と浴室カウンター３との間に形成される隙間４を埋めることができるため、凹所５に湯水が入り込むのを防止することができる。これにより、凹所５内のカビや雑菌の繁殖を防止できたり、水垢などの汚れが発生したりするのを防止することができる。また、このような目地部材６を装着したことにより隙間が生じないので、外観上も良好なものとなる。さらに、この目地部材６は、樹脂により形成されているため、カビや腐食が発生することはほとんどなく、浴室内の清潔さを保つことができるという利点も有している。
【００３６】
また、係止部６２の係止凸部６２２が被係止部７の開口部７ａの外縁の裏側に位置しているから、小エプロン２２を取り外した場合においても、目地部材６が小エプロン２２の凹所５の開口周縁から脱落することがなくなる。つまり、メンテナンス時に小エプロン２２を取り外す場合であっても、目地部材６が脱落しないから、メンテナンス時の煩わしさを取り除くことができる。
【００３７】
次に、他の実施形態について図３及び図５に基づいて説明する。なお、本実施形態は図３及び図４に示す実施形態と大部分において同じであるため、同じ部分においては同符号を付して説明を省略し、主に異なる部分について説明する。
【００３８】
本実施形態においては、小エプロン２２に設けられた被係止部７は、凹所５の開口周縁の全長に亘って開口溝７ｂが連続して設けられている。この開口溝７ｂの凹所底面５４側の外縁の裏面と、小エプロン２２の表面裏側とを連結部材７１によって連結しており、凹所５を形成する凹所底面５４が脱落しないようになっている。
【００３９】
また、係止部６２は、目地部６１及び胴部６３と共に、浴室カウンター３の浴槽１側の側端部３ａ近傍の上面及び前端面及び下面（すなわち、浴室カウンター３の外縁）に対応する位置の全長に亘って連続するようにして設けてある。
【００４０】
これにより、上記実施形態と比較して、より強固に係止部６２と被係止部７とが係止することができるようになる。また、目地部材６を設置するに当たり、上記実施形態のように断続的に係止部６２と被係止部７とを設けたものと比較して、本実施形態のものは、被係止部７に係止部６２を嵌め易いという利点を有している。つまり、小エプロン２２の凹所５に浴室カウンター３を挿通した状態では、外部から被係止部７の位置を視認することができないため、係止部６２と被係止部７とを断続的に設けた上記実施形態のものは、被係止部７のある部位を狙って、係止部６２を、凹所５と浴室カウンター３との隙間４に挿入する必要があるのに対して、係止部６２と被係止部７とを連続して設けた本実施形態のものは、被係止部７のある部位を狙って、係止部６２を挿入する必要がないというものである。
【００４１】
以上、本発明の浴室カウンターの取付構造を浴室ユニットに基づいて説明したが、本発明は浴室ユニットに限定されず、浴槽１に隣接して設置される浴室カウンター３を設けたものであれば、すべてにおいて適用することができる。
【００４２】
また、上記実施形態において目地部材６は、塩化ビニルから成る樹脂により形成したが、特に限定されず、ポリプロピレン、ＡＢＳ、エラストマー等の熱可塑性樹脂から形成されるものであってもよい。
【図面の簡単な説明】
【００４３】
【図１】本発明の一実施形態の斜視図である。
【図２】同上の図１におけるａ−ａ部分の断面図である。
【図３】他の実施形態（第２，第３の実施形態）の斜視図である。
【図４】第２の実施形態の図３におけるｂ−ｂ部分の断面図である。
【図５】第３の実施形態の図３におけるｂ−ｂ部分の断面図である。
【符号の説明】
【００４４】
１      浴槽
１１    フランジ部
２      エプロン
２１    大エプロン
２２    小エプロン
３      浴室カウンター
３ａ    浴室カウンターの側端部
５      凹所
６      目地部材
６１    目地部
６２    係止部
６２１  縦片
６２２  係止凸部
６２３  導入斜片
６３    胴部
７      被係止部
７ａ    開口部
７ｂ    開口溝
７１    連結部材
【図１】
2010104447.tif 000003
【図２】
2010104447.tif 000004
【図３】
2010104447.tif 000005
【図４】
2010104447.tif 000006
【図５】
2010104447.tif 000007